(57)【要約】      （修正有）【課題】所要のスペースが小さく、多色刷りにおける被印刷体で、少なくとも２つの分解色同士の位置の誤差を認識するためのコントロールマークを提供する。【解決手段】多色刷りで被印刷体１に重なり合って印刷される少なくとも２つの分解色同士の位置の誤差を認識するためのコントロールマーク２に関する。コントロールマークが、第１の分解色の複数の平行な線３を有するパターンと、第２の分解色の、パターン３上に平行に印刷された少なくとも２つの平行線４，５とを有していることを特徴とする。【選択図】図１
0003158789.tif 000002
【実用新案登録請求の範囲】
【請求項１】
多色刷りで被印刷体（１）に重なりあって印刷される少なくとも２つの分解色同士の位置の誤差を認識するためのコントロールマーク（２）にであって、
前記コントロールマークは、読取可能な目盛を構成する、第１の分解色の複数の平行な線を有するパターン（３）と、第２の分解色の、前記パターン（３）上に平行に印刷された少なくとも２つの平行線（４，５）と、を有していることを特徴とするコントロールマーク。
【請求項２】
前記第２の分解色の少なくとも２つの前記平行線（４，５）は、前記第１の分解色の平行な前記線を有する前記パターン（３）の長さ（ｄ）と同じ相互間隔を有している、請求項１に記載のコントロールマーク。
【請求項３】
前記第２の分解色の第１の平行線（４）には、前記第２の分解色の第２の平行線（５）とは異なる記号が被印刷体（１）上に視認可能に付されている、請求項１または２に記載のコントロールマーク。
【請求項４】
前記第２の分解色の前記第１の平行線（４）の前記記号はマイナス記号であり、前記第２の分解色の前記第２の平行線（５）の前記記号はプラス記号である、請求項３に記載のコントロールマーク。
【請求項５】
前記被印刷体（１）上に、２つのコントロールマーク（２）が互いに垂直に配されて塗布されている、請求項１から４のいずれか１項に記載のコントロールマーク。
【請求項６】
前記第１の分解色の平行な前記線を有する前記パターン（３）の長さ（ｄ）は２ｍｍ以下である、請求項１から５のいずれか１項に記載のコントロールマーク。
【請求項７】
前記コントロールマーク（２）は、前記第１の分解色の平行な線を有する第１のパターン（３）と、該第１のパターン（３）に対して垂直に配され、前記第１の分解色の平行な線を有する第２のパターン（３）と、これら両方のパターン（３）上にそれぞれ平行に印刷された、前記第２の分解色の少なくとも２つの第１の平行線（４）、および該第１の平行線に垂直な、前記第２の分解色の少なくとも２つの第２の平行線（５）と、を有している、請求項１から６のいずれか１項に記載のコントロールマーク。
【請求項８】
前記コントロールマーク（２）は対称に構成されている、請求項７に記載のコントロールマーク。
【請求項９】
前記第１の分解色の両方の前記パターン（３）の中央の線は垂直に交差している、請求項７または８に記載のコントロールマーク。
【請求項１０】
前記両方のパターン（３）の、その他の互いに垂直に配された線は、交差しておらず、その代わりに９０度の角度を形成している、請求項９に記載のコントロールマーク。
【請求項１１】
前記コントロールマーク（２）は、前記被印刷体（１）上に、前記被印刷体の円周方向または横方向に複数配置されている、請求項１から１０のいずれか１項に記載のコントロールマーク。
【考案の詳細な説明】
【技術分野】
【０００１】
本考案は、多色刷りで被印刷体に重なり合って印刷される少なくとも２つの分解色同士の位置の誤差を認識するためのコントロールマークに関する。
【背景技術】
【０００２】
特にオフセット印刷、あるいはそれ以外の種類の多色刷りにおいて、印刷品質は、個々の分解色（色分解版）が正確に重なり合って印刷されるかどうかに大きく依存する。その際、およそ１００マイクロメートルから数ミリメートルの範囲の誤差が問題となる。したがって、印刷品質を検査するためには、個々の分解色同士の位置の誤差を被印刷体で一意的に認識できるようにし、場合によっては印刷機で設定を変更することによって、そうした誤差を修正および調節できるようにすることが重要である。このとき、コントロールプロセスおよび調節プロセスは、手動式または自動式のいずれかで行うことができる。手動式のコントロールでは、個々の分解色が互いにずれているかどうかを、印刷工が視覚によって認識することができるレジスタマークおよび見当コントロールマークが用いられることが一般的である。そのため、コントロールマークは、円周方向でも横方向でも、被印刷体で位置の誤差を認識できるように構成されている。そのために、第１の分解色に割り当てられた平行な線パターンが用いられることが一般的である。第２の分解色は、第１の分解色のパターンの平行な線上に印刷される平行線を有している。このように印刷された、第２の分解色の線が、第１の分解色の線パターンの中央にあれば、レジスタもしくは見当は正確に調整されている。第２の分解色の線が第１の分解色のパターンの中央にきていないときは、調節しなければならない位置の誤差がある。この場合、印刷工は、印刷された線を参照して、こうした誤差を読み取り、印刷機のレジスタ制御部および見当制御部に入力する。
【０００３】
現在では、円周方向、横方向、および対角線方向の誤差を認識する役目を行う数多くの見当マークがある。このような見当マークおよびレジスタマークは、たとえば特許文献１から公知である。それは主として、山形に構成されており、そのようにして円周方向と横方向との位置の誤差を読み取り可能にするマークである。
【０００４】
公知の見当マークおよびレジスタマークで生じる問題は、所要のスペースにある。分解色の相互の位置の誤差を認識できるようにするには、第１の分解色の平行な線を有するパターンは、相応の位置の誤差を認識して視認可能に表示できるようにするため、多くの場合、少なくとも４ミリメートルの長さを有していなくてはならない。特に、たとえば印刷時の水分による紙の膨張も考慮して認識可能にするために、被印刷体に見当マークおよびレジスタマークが横方向または円周方向に複数存在している場合、従来知られている見当マークおよびレジスタマークの所要のスペースは不都合である。
【先行技術文献】
【特許文献】
【０００５】
【特許文献１】特開２００２−１９２７０２号
【考案の概要】
【考案が解決しようとする課題】
【０００６】
そこで本考案の目的は、従来の公知のコントロールマークよりも所要のスペースが小さく、多色刷りにおける被印刷体で、少なくとも２つの分解色同士の位置の誤差を認識するためのコントロールマークを提供することにある。
【課題を解決するための手段】
【０００７】
この目的は、本考案による請求項１によって達成される。本考案の好ましい実施態様は、従属請求項および図面に示されている。本考案によると、少なくとも２つの分解色同士の位置の誤差を認識するためのコントロールマークは、第１の分解色の平行な線を有するパターンを有している。この第１の分解色は、通常、基本色と呼ばれ、これを基準色として、これに合わせて他の分解色が調節および調整される。通常、基本色およびこれに伴う第１の分解色は、黒色である。本考案によるコントロールマークでは、第１の分解色のパターンに加えて、このパターンの真上に、平行に第２の分解色の少なくとも２つの平行線が印刷される。これと同様に、他のすべての分解色についても、それぞれの分解色の２つの平行線が印刷される。基本色以外の分解色において少なくとも２つの平行線を用いることは、第１の分解色の平行な線を有するパターンを小さくすることができるという大きな利点がある。被印刷体のコントロールマークで位置の誤差を認識できるようにするためには、第２および更に別の分解色の線が、第１の分解色の平行な線を有するパターン内に位置していなくてはならない。そうしないと、第１の分解色のパターンの外部に他の分解色の平行線が位置し、そのため印刷された目盛の外部に他の分解色の平行線が位置するので、位置の誤差を読取ることができなくなる。しかしながら、他の分解色の少なくとも２つの平行線を利用することによって、読取りの範囲は広くなる。この場合、他の分解色の両方の平行線のうちの一方が、第１の分解色の平行な線を有するパターンの内部に位置すれば十分であるからである。この場合、たとえば第２の分解色の一方の平行線には正の誤差が割り当てられ、第２の分解色の他方の平行線には負の誤差が割り当てられる。このようにして、第１の分解色の平行な線を有するパターンの長さを半分にすることが可能である。当然ながら、第２および更に別の分解色に、２つより多くの平行線を印刷して、コントロールマークを相応にいっそう短くすることも可能である。
【０００８】
本考案の第１の実施態様では、第２の分解色の少なくとも２つの平行線は、第１の分解色の平行な線を有するパターンの長さと同じ相互間隔を有していることが意図される。このような構成では、第２の分解色の唯一の平行線を有する、従来のコントロールマークに比べて、コントロールマークの長さを半分にすることができる。この場合にも、第２の分解色の少なくとも２つの平行線のうちの少なくとも１つは、依然として第１の分解色の平行な線を有するパターンの内部にあるので、これら２つの分解色同士の位置の誤差を読取ることができる。
【０００９】
さらに、第２の分解色の第１の平行線には、第２の分解色の第２の平行線とは異なる記号が被印刷体上で視認可能に付されていることが好ましい。第２の分解色の２つの平行線の異なる記号によって、各分解色の相互の最善な位置から、正と負の誤差を明確に区別することができる。一意的な記号の表示によって、印刷機のレジスタおよび見当調整装置への誤った入力が回避される。数学的に関連した相応の記号を利用することが特に好ましいことが判っている。この場合、第２の分解色の第１の平行線における記号はマイナス記号であり、第２の分解色の第２の平行線における記号はプラス記号であることが意図される。その場合、印刷工は、第１の分解色の平行な線を有するパターンの内部にある方の、第２の分解色の線に応じた記号を、印刷機制御部に入力する。このことは、位置の誤差の誤入力を防止し、これにより、印刷機でのレジスタ調整および見当調整が改善されずに劣化されることが防止される。
【００１０】
さらに、被印刷体に２つのコントロールマークが互いに垂直に配置されていることが好ましい。２つのコントロールマークの垂直な配置によって、横方向と円周方向との誤差を読み取ることができるようになる。従来のコントロールマークと比べたとき、１つの方向における位置の誤差を認識するためのコントロールマークの従来の面に、２つの方向における位置の誤差を認識するための２つのコントロールマークを互いに垂直に設けることが可能となる。このことは、本考案によるコントロールマークの所要のスペースが減ることによって可能となる。たとえば長さ４ミリメートルの１つのコントロールマークに代えて、長さ２ミリメートルの２つのコントロールマークを設けることができるようになる。さらに、印刷プロセスでの紙の膨張によって生じる分解色の位置誤差を認識できるようにするために、さらに別のコントロールマークが被印刷体に円周方向および横方向に設けられていてもよい。
【００１１】
本考案の別の実施態様では、コントロールマークは、第１の分解色の平行な線を有する第１のパターンと、第１のパターンに対して垂直に配置され、第１の分解色の平行な線を有する第２のパターンと、これら両方のパターン上にそれぞれ平行に印刷された、第２の分解色の少なくとも２つの第１の平行線、および第１の平行線に垂直な、第２の分解色の少なくとも２つの第２の平行線と、を有していることが意図される。この場合、横方向と円周方向との位置の誤差を認識するためのコントロールマークは、１つの方向だけの位置の誤差を認識するコントロールマークよりもスペースを必要としない単一のコントロールマークにまとめることができる。そのため、この実施態様では、基本色のパターンと分解色の平行線とが、直接重ねて印刷される。しかしながら、それぞれの分解色の色は異なっているので、他の分解色の平行線を問題なく視覚的に認識することができる。このようにして、この種のコントロールマークをコンパクトに構成することができる。そのために、基本色の第１の分解色の両方のパターンの中央の線は、垂直に交差していて良い。一方、基本色の両方のパターンの、その他の互いに垂直に配された線は交差しておらず、その代わりに９０度の角度を形成していて良い。その結果として、円周方向と横方向との位置の誤差を認識するための、特にコンパクトなコントロールマークが得られる。
【００１２】
次に、本考案の実施の形態について図面を参照して説明する。
【図面の簡単な説明】
【００１３】
【図１】円周方向の位置の誤差を認識するためのコントロールマークと、横方向の位置の誤差を認識するためのコントロールマークと、を備えるシート状の被印刷体を示す図である。
【図２】円周方向と横方向とに位置の誤差がある場合の、本考案におけるコントロールマークを示す図である。
【図３】横方向と円周方向との位置の誤差を認識するための、特にコンパクトなコントロールマークを示す図である。
【考案を実施するための形態】
【００１４】
図１は、本考案による２つのレジスタマーク２が拡大して図示されたシート状の被印刷体１を示している。レジスタマーク２は、通常、被印刷体１の印刷画像の余白領域にある。さらに、この種のレジスタマーク２は、複数のブランク（Nutzen）の間の印刷画像に存在していてもよい。印刷プロセス中において、紙の膨張も読み取ることができるようにするため、通常、被印刷体１の長さと幅の全体にわたって複数のレジスタマーク２が配され塗布される。図１では、本考案によるレジスタマーク２は、一例として２色刷りについて図示されているが、任意の数の分解色およびこれに伴う任意の多色刷りに拡張することが可能である。レジスタマーク２の基礎を構成するものは、従来のレジスタマークと同様に、いわゆる基本色の平行な線パターン３である。基本色は、通常、印刷機の印刷ユニットによって被印刷体１に塗布される黒色である。平行な線パターン３の各線は、等間隔に開けられており、測定目盛としての役目をする。図１における平行な線パターン３は、２ミリメートルの長さｄにわたっている。レジスタマーク２は２ミリメートルの長さｄであるにもかかわらず、全体として＋／−２ミリメートルのレジスタ誤差、すなわち従来における長さ４ミリメートルのレジスタマークと同じように全体として４ミリメートルのレジスタ誤差を、視認可能に表すことができる。このことは、調節されるべき色の、図示されている正の線４と負の線５によって行われる。
【００１５】
これら両方の線４，５は、同じ色を有しており、２色刷りの場合には調節されるべき第２の色となる。さらに、両方の線４，５の各々には、記号が一意的に表示されており、上側の負の線５にはマイナス記号、下側の正の線４にはプラス記号が表示されている。図１に示すレジスタマーク２ではレジスタが正確に調整されており、このことは、正および負の線４，５が、それぞれレジスタマーク２の上側の端部および下側の端部と正確に一致していることからわかる。
【００１６】
分解色同士の位置の誤差が生じると、両方の線４，５のうち一方が、基本色の平行な線パターン３から外に出るのに対し、これに応じて他方の線は線パターン３の中に入る。その様子が図２に示されており、ここでは、円周方向に負の誤差があり、横方向には正の誤差がある。両方の線４，５は、平行な線パターン３の長さと等しい間隔ｄを有している。調節されるべき色に対応する正の線４が平行な線パターン３の中に入っているときには、両方の分解色の理想的な重ね刷りに対して正の位置の誤差が含まれ、そうでない場合には負の誤差が含まれる。印刷工はこのような誤差を読み取り、対応する記号を印刷機のレジスタ調節装置もしくは見当調節装置に入力することができる。プラス記号またはマイナス記号によって誤差が一意的に表示されるので、印刷工が、誤った記号を印刷機のレジスタ制御部もしくは見当制御部に入力してしまい、そのために位置の誤差が減らずに増えてしまうことが防止される。横方向でも円周方向でも位置の誤差を認識できるようにするため、図１では、両方のレジスタマーク２は互いに９０度の角度ずらして配されている。
【００１７】
図３には、図１に示す単一のレジスタマーク２と全く同じ広さのスペースしか必要としないにもかかわらず、円周方向でも横方向でも分解色の位置の誤差を読取ることができる、省スペースのレジスタマーク２が図示されている。そのために図３では、基本色の２つの平行な線パターン３が、９０度の角度で互いに点対称および鏡像対称に重ねて印刷されており、両方の平行な線パターン３の中央の線だけが交差しており、それに対して他の線は９０度の角度に形成されている。しかしながら、これらの線は連続していても交差していても良く、９０度の角度としての実施形態は、単に読み取りやすさを良くするためのものにすぎず、この場合、交差する線が少ない方が視認性をより良くする。これに合わせて、調節されるべき色の、正および負の線４，５も、横方向および円周方向に９０度の角度で重ねて印刷されており、重ねて印刷された基本色の両方の平行な線パターン３と重なり合っている。この場合にも、正の誤差があるときは、正の線４がレジスタマーク２の中に入り、それに応じて負の線５は外に出る。分解色同士に負の誤差があるときは、それに応じて負の線５がレジスタマーク２の中に入り、正の線４はレジスタマーク２から外に出る。図３に示す本考案のレジスタマーク２では、図１に示す本考案のレジスタマーク２に比べて、所要のスペースがさらに半分になる。これは、円周方向の位置の誤差を認識するためにも横方向の位置の誤差を認識するためにも、たとえば２ミリメートルの長さおよび幅ｄをもつ１つのマークしか存在していないからである。したがって、円周方向と横方向との位置の誤差を認識するために２重に設けられなければならない従来のレジスタマークであって、同量の誤差を認識するために４ミリメートルの長さを有する従来のレジスタマークと比べると、図３におけるレジスタマーク２では所要のスペースが４分の１に減る。
【符号の説明】
【００１８】
１    被印刷体
２    レジスタマーク
３    基本色における平行な線パターン
４    調節されるべき色における正の線
５    調節されるべき色における負の線
ｄ    レジスタマークの長さ
【図１】
0003158789.tif 000003
【図２】
0003158789.tif 000004
【図３】
0003158789.tif 000005
【手続補正書】
【提出日】平成22年2月17日(2010.2.17)
【手続補正２】
【補正対象書類名】明細書
【補正対象項目名】０００１
【補正方法】変更
【補正の内容】
【０００１】
本考案は、多色刷りで被印刷体に重なり合って印刷される少なくとも２つの分解色同士の位置の誤差を認識するためのコントロールマークが付された被印刷体に関する。
【手続補正３】
【補正対象書類名】実用新案登録請求の範囲
【補正対象項目名】全文
【補正方法】変更
【補正の内容】
【実用新案登録請求の範囲】
【請求項１】
多色刷りで被印刷体（１）に重なりあって印刷される少なくとも２つの分解色同士の位置の誤差を認識するためのコントロールマーク（２）が付された被印刷体であって、
前記コントロールマークは、読取可能な目盛を構成する、第１の分解色の複数の平行な線を有するパターン（３）と、第２の分解色の、前記パターン（３）上に平行に印刷された少なくとも２つの平行線（４，５）と、を有していることを特徴とするコントロールマークが付された被印刷体。
【請求項２】
前記第２の分解色の少なくとも２つの前記平行線（４，５）は、前記第１の分解色の平行な前記線を有する前記パターン（３）の長さ（ｄ）と同じ相互間隔を有している、請求項１に記載のコントロールマークが付された被印刷体。
【請求項３】
前記第２の分解色の第１の平行線（４）には、前記第２の分解色の第２の平行線（５）とは異なる記号が被印刷体（１）上に視認可能に付されている、請求項１または２に記載のコントロールマークが付された被印刷体。
【請求項４】
前記第２の分解色の前記第１の平行線（４）の前記記号はマイナス記号であり、前記第２の分解色の前記第２の平行線（５）の前記記号はプラス記号である、請求項３に記載のコントロールマークが付された被印刷体。
【請求項５】
前記被印刷体（１）上に、２つのコントロールマーク（２）が互いに垂直に配されて塗布されている、請求項１から４のいずれか１項に記載のコントロールマークが付された被印刷体。
【請求項６】
前記第１の分解色の平行な前記線を有する前記パターン（３）の長さ（ｄ）は２ｍｍ以下である、請求項１から５のいずれか１項に記載のコントロールマークが付された被印刷体。
【請求項７】
前記コントロールマーク（２）は、前記第１の分解色の平行な線を有する第１のパターン（３）と、該第１のパターン（３）に対して垂直に配され、前記第１の分解色の平行な線を有する第２のパターン（３）と、これら両方のパターン（３）上にそれぞれ平行に印刷された、前記第２の分解色の少なくとも２つの第１の平行線（４）、および該第１の平行線に垂直な、前記第２の分解色の少なくとも２つの第２の平行線（５）と、を有している、請求項１から６のいずれか１項に記載のコントロールマークが付された被印刷体。
【請求項８】
前記コントロールマーク（２）は対称に構成されている、請求項７に記載のコントロールマークが付された被印刷体。
【請求項９】
前記第１の分解色の前記両方のパターン（３）の中央の線は垂直に交差している、請求項７または８に記載のコントロールマークが付された被印刷体。
【請求項１０】
前記両方のパターン（３）の、その他の互いに垂直に配された線は、交差しておらず、その代わりに９０度の角度を形成している、請求項９に記載のコントロールマークが付された被印刷体。
【請求項１１】
前記コントロールマーク（２）は、前記被印刷体（１）上に、前記被印刷体の円周方向または横方向に複数配置されている、請求項１から１０のいずれか１項に記載のコントロールマークが付された被印刷体。